【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
撮像部によって時分割露光された複数の撮像データを入力する入力手段と、
分配パターンに従い、前記複数の撮像データを合成用画像に分配する分配手段、前記合成用画像を合成した合成撮像データを生成する合成手段、並びに、前記分配パターンおよび前記撮像部または被写体の動き量に基づき、前記合成撮像データの振れを補正する補正手段をそれぞれ備える第一および第二の処理手段と、
前記第一および第二の処理手段がそれぞれ出力する補正後の撮像データを合成した撮像データを生成する統合手段とを有することを特徴とする画像処理装置。
【請求項２】
前記第一の処理手段の分配パターンと、前記第二の処理手段の分配パターンは互いに反転パターンであることを特徴とする請求項1に記載された画像処理装置。
【請求項３】
前記分配手段は、前記分配パターンに従い、前記複数の撮像データをランダムに前記合成用画像または動き検出用画像に分配し、前記動き検出用画像は前記動き量の検出に使用されることを特徴とする請求項1または請求項2に記載された画像処理装置。
【請求項４】
前記第一および第二の処理手段はそれぞれ、前記時分割露光の際の前記撮像部または前記被写体の動き量を検出する検出手段を有することを特徴とする請求項1または請求項2に記載された画像処理装置。
【請求項５】
前記分配手段は、前記分配パターンに従い、前記複数の撮像データを前記合成用画像または動き検出用画像に分配することを特徴とする請求項4に記載された画像処理装置。
【請求項６】
前記検出手段は、前記動き検出用画像の撮像データから前記動き量を検出することを特徴とする請求項5に記載された画像処理装置。
【請求項７】
撮像部によって時分割露光された複数の撮像データを入力する入力手段と、
分配パターンに従い、前記複数の撮像データを合成用画像または動き検出用画像に分配する分配手段、前記動き検出用画像の撮像データから前記時分割露光の際の前記撮像部または被写体の動き量を検出する検出手段、前記合成用画像を合成した合成撮像データを生成する合成手段、並びに、前記分配パターンおよび前記動き量に基づき、前記合成撮像データの振れを補正する補正手段をそれぞれ備える複数の処理手段と、
前記複数の処理手段がそれぞれ出力する補正後の撮像データを合成して、振れ補正後の撮像データを生成する統合手段とを有することを特徴とする画像処理装置。
【請求項８】
前記統合手段は、前記複数の処理手段それぞれの分配パターンが示す、前記複数の撮像データを前記合成用画像に分配する割合を総和し、前記合成した撮像データの各画素値を前記総和で除算することを特徴とする請求項7に記載された画像処理装置。
【請求項９】
前記分配手段は、前記分配パターンに従い、前記複数の撮像データをランダムに前記合成用画像または前記動き検出用画像に分配することを特徴とする請求項7または請求項8に記載された画像処理装置。
【請求項１０】
前記補正手段は、前記分配パターンと前記動き量に基づき、点像分布関数を作成する作成手段、および、前記点像分布関数を用いて、前記合成撮像データをデコンボリューションする手段を有することを特徴とする請求項1から請求項9の何れか一項に記載された画像処理装置。
【請求項１１】
撮像部によって時分割露光された複数の撮像データを入力する入力ステップと、
分配パターンに従い、前記複数の撮像データを合成用画像に分配する分配処理、前記合成用画像を合成した合成撮像データを生成する合成処理、並びに、前記分配パターンおよび前記撮像部または被写体の動き量に基づき、前記合成撮像データの振れを補正する補正処理をそれぞれ行う第一および第二の処理ステップと、
前記第一および第二の処理ステップで得られる補正後の撮像データを合成した撮像データを生成する統合ステップとを有することを特徴とする画像処理方法。
【請求項１２】
撮像部によって時分割露光された複数の撮像データを入力する入力ステップと、
分配パターンに従い、前記複数の撮像データを合成用画像または動き検出用画像に分配する分配処理、前記動き検出用画像の撮像データから前記時分割露光の際の前記撮像部または被写体の動き量を検出する検出処理、前記合成用画像を合成した合成撮像データを生成する合成処理、並びに、前記分配パターンおよび前記動き量に基づき、前記合成撮像データの振れを補正する補正処理をそれぞれ行う複数の処理ステップと、
前記複数の処理ステップがそれぞれ出力する補正後の撮像データを合成して、振れ補正後の撮像データを生成する統合ステップとを有することを特徴とする画像処理方法。
【請求項１３】
コンピュータを請求項1から請求項10の何れか一項に記載された画像処理装置の各手段として機能させるためのプログラム。
【手続補正２】
【補正対象書類名】明細書
【補正対象項目名】０００９
【補正方法】変更
【補正の内容】
【０００９】
本発明は、振れによる撮像データの暈けを効果的に補正することを目的とする。
【手続補正３】
【補正対象書類名】明細書
【補正対象項目名】００１１
【補正方法】変更
【補正の内容】
【００１１】
本発明にかかる画像処理は、撮像部によって時分割露光された複数の撮像データを入力する入力ステップと、分配パターンに従い、前記複数の撮像データを合成用画像に分配する分配処理、前記合成用画像を合成した合成撮像データを生成する合成処理、並びに、前記分配パターンおよび前記撮像部または被写体の動き量に基づき、前記合成撮像データの振れを補正する補正処理をそれぞれ行う第一および第二の処理ステップと、前記第一および第二の処理ステップで得られる補正後の撮像データを合成した撮像データを生成する統合ステップとを有することを特徴とする。
【手続補正４】
【補正対象書類名】明細書
【補正対象項目名】００１２
【補正方法】変更
【補正の内容】
【００１２】
また、撮像部によって時分割露光された複数の撮像データを入力する入力ステップと、分配パターンに従い、前記複数の撮像データを合成用画像または動き検出用画像に分配する分配処理、前記動き検出用画像の撮像データから前記時分割露光の際の前記撮像部または被写体の動き量を検出する検出処理、前記合成用画像を合成した合成撮像データを生成する合成処理、並びに、前記分配パターンおよび前記動き量に基づき、前記合成撮像データの振れを補正する補正処理をそれぞれ行う複数の処理ステップと、前記複数の処理ステップがそれぞれ出力する補正後の撮像データを合成して、振れ補正後の撮像データを生成する統合ステップとを有することを特徴とする。
【手続補正５】
【補正対象書類名】明細書
【補正対象項目名】００１３
【補正方法】変更
【補正の内容】
【００１３】
本発明によれば、振れによる撮像データの暈けを効果的に補正することができる。
【手続補正６】
【補正対象書類名】明細書
【補正対象項目名】００９１
【補正方法】変更
【補正の内容】
【００９１】
一方、n＞1の場合、振れ補正部428は、乱数Rを発生し(S1306)、乱数Rと振り分けパターンの値が‘1’になる確率をPを比較する(S1307)。そして、R≧Pの場合は合成用画像として振り分けパターンに‘1’を設定し(S1308)、R＜Pの場合は動き検出用画像として振り分けパターンに‘0’を設定し(S1309)、処理をステップS1303に戻す。なお、確率Pは例えば50%に設定するが、上述したように、画像の変位が少ない場合は、時分割露光した各画像を合成用画像に選択し易い振り分けパターン、つまり確率Pを高く設定して振り分けパターンを作成してもよい。